(57)【要約】【課題】タンクを包む成形断熱材の側面の接合部分を補強できると共に、断熱性能を向上できるタンク断熱構造を提供する。【解決手段】第１貯湯タンクを周方向に覆う断面半円弧形状の第１,第２成形断熱材２１,２２と、第１,第２成形断熱材２１,２２の接合部分に跨るように、第１,第２成形断熱材２１,２２を挟んで固定する第３成形断熱材２３と備える。上記第３成形断熱材２３は、第１,第２成形断熱材２１,２２に周方向かつ上下方向に係合している。【選択図】図７
2014066369.tif 000002
【特許請求の範囲】
【請求項１】
タンク(１)を周方向に覆う断面半円弧形状の第１,第２成形断熱材(２１,２２)と、
上記第１,第２成形断熱材(２１,２２)の接合部分に跨るように、上記第１,第２成形断熱材(２１,２２)を挟んで固定する第３成形断熱材(２３)と
備え、
上記第３成形断熱材(２３)は、上記第１,第２成形断熱材(２１,２２)に周方向かつ上下方向に係合していることを特徴とするタンク断熱構造。
【請求項２】
請求項１に記載のタンク断熱構造において、
上記第３成形断熱材(２３)に部品取付部(３１〜３６)を設けたことを特徴とするタンク断熱構造。
【請求項３】
請求項２に記載のタンク断熱構造において、
上記第１,第２成形断熱材(２１,２２)の厚さよりも上記第３成形断熱材(２３)の厚さが厚いことを特徴とするタンク断熱構造。
【請求項４】
請求項３に記載のタンク断熱構造において、
上記第３成形断熱材(２３)に設けられた上記部品取付部(３１,３２)に、電装品箱(２０)を固定するための取付金具(４１,４２)を固定していることを特徴とするタンク断熱構造。
【請求項５】
請求項１から４までのいずれか１つに記載のタンク断熱構造を備えたことを特徴とする貯湯タンク装置。
【発明の詳細な説明】
【技術分野】
【０００１】
この発明は、タンク断熱構造および貯湯タンク装置に関し、特に貯湯タンクを断熱するタンク断熱構造およびそれを用いた貯湯タンク装置に関する。
【背景技術】
【０００２】
従来、タンク断熱構造としては、貯湯タンクを成形断熱材により覆ったものがある(例えば、特開２０１１−２５２６５９号公報(特許文献１)参照)。上記タンク断熱構造では、貯湯タンクを周方向に覆う２つの断面半円弧形状の成形断熱材に、環状のタンク補強部材を巻き付けることにより、貯湯タンクに成形断熱材を密着固定している。
【０００３】
しかしながら、上記タンク断熱構造では、貯湯タンクを包む２つの成形断熱材の接合部分は、タンク補強部材が巻かれているところを除いて強度が弱いという問題と、成形断熱材の接合部分からの放熱により断熱性能が低下するという問題がある。
【先行技術文献】
【特許文献】
【０００４】
【特許文献１】特開２０１１−２５２６５９号公報
【発明の概要】
【発明が解決しようとする課題】
【０００５】
そこで、この発明の課題は、タンクを包む成形断熱材の側面の接合部分を補強できると共に、断熱性能を向上できるタンク断熱構造および貯湯タンク装置を提供することにある。
【課題を解決するための手段】
【０００６】
上記課題を解決するため、この発明のタンク断熱構造は、
タンクを周方向に覆う断面半円弧形状の第１,第２成形断熱材と、
上記第１,第２成形断熱材の接合部分に跨るように、上記第１,第２成形断熱材を挟んで固定する第３成形断熱材と
備え、
上記第３成形断熱材は、上記第１,第２成形断熱材に周方向かつ上下方向に係合していることを特徴とする。
【０００７】
上記構成によれば、第１,第２成形断熱材の接合部分に跨るように、第１,第２成形断熱材を第３成形断熱材により挟んで固定し、第３成形断熱材が第１,第２成形断熱材に周方向かつ上下方向に係合することによって、タンクを包む第１,第２成形断熱材の側面の接合部分を補強できると共に、第１,第２成形断熱材の接合部分が密着すると共に第３成形断熱材により覆われるので、断熱性能を向上できる。また、固定金具などを用いることなく、第３成形断熱材を第１,第２成形断熱材から外れないように固定できるので、組立時の作業性を向上できる。
【０００８】
また、一実施形態のタンク断熱構造では、
上記第３成形断熱材に部品取付部を設けた。
【０００９】
上記実施形態によれば、第３成形断熱材に部品取付部を設けることによって、断熱と部品取付に第３成形断熱材を兼用できる。ここで、部品取付部は、電装品箱、バルブや熱交換器などの機能部品、給水配管、給湯配管などのいずれか１つが取り付けられたものである。
【００１０】
また、一実施形態のタンク断熱構造では、
上記第１,第２成形断熱材の厚さよりも上記第３成形断熱材の厚さが厚い。
【００１１】
上記実施形態によれば、第１,第２成形断熱材の厚さよりも第３成形断熱材の厚さが厚いことによって、第３成形断熱材に設けられた部品取付部の強度を高めることができる。
【００１２】
また、一実施形態のタンク断熱構造では、
上記第３成形断熱材に設けられた上記部品取付部に、電装品箱(２０)を固定するための取付金具を固定している。
【００１３】
上記実施形態によれば、第１,第２成形断熱材の厚さよりも第３成形断熱材の厚さが厚いので、第３成形断熱材に設けられた部品取付部によって、重量物である電装品箱を第３成形断熱材に固定することが可能になる。
【００１４】
また、この発明の貯湯タンク装置では、
上記のいずれか１つのタンク断熱構造を備えたことを特徴とする。
【００１５】
上記構成によれば、上記タンク断熱構造を備えたことによって、タンクを包む成形断熱材の側面の接合部分を補強できると共に、断熱性能を向上できる。
【発明の効果】
【００１６】
以上より明らかなように、この発明によれば、タンクを包む成形断熱材の側面の接合部分を補強できると共に、断熱性能を向上できるタンク断熱構造およびそのタンク断熱構造を備えた貯湯タンク装置を実現することにある。
【図面の簡単な説明】
【００１７】
【図１】図１はこの発明の実施の一形態のタンク断熱構造を用いた貯湯タンク装置の斜視図である。
【図２】図２は上記貯湯タンク装置のケーシングを外した状態を示す斜視図である。
【図３】図３は上記貯湯タンク装置のケーシングと機能部品および配管などを外した状態を示す左上方から見た斜視図である。
【図４】図４は上記貯湯タンク装置のケーシングと機能部品および配管などを外した状態を示す右上方から見た斜視図である。
【図５】図５は図３,図４に示す貯湯タンク装置から断熱構造体を外した状態を示す斜視図である。
【図６】図６は上記貯湯タンク装置の第１,第２貯湯タンクを覆う断熱構造体の分解斜視図である。
【図７】図７は前面成型断熱材のみを外した状態の断熱構造体の分解斜視図である。
【発明を実施するための形態】
【００１８】
以下、この発明のタンク断熱構造および貯湯タンク装置を図示の実施の形態により詳細に説明する。
【００１９】
図１はこの発明の実施の一形態のタンク断熱構造を用いた貯湯タンク装置の斜視図を示している。この実施の形態の貯湯タンク装置と、熱源装置としてのヒートポンプユニットで貯湯式給湯システムを構成する。
【００２０】
上記貯湯タンク装置は、図１に示すように、タンクの一例としての第１貯湯タンク１と、第２貯湯タンク２と、第１,第２貯湯タンク１,２が収納された箱形のケーシング３を備えている。上記ケーシング３の前面(図１の左側)下側に作業用開口を覆うカバー４を取り付けている。また、ケーシング３の底部に第１,第２貯湯タンク１,２を支持する脚５,５,…を配置している。なお、この実施の形態では、第１,第２貯湯タンク１,２は、円筒形状の缶体としたが、多角柱形状の缶体などでもよい。
【００２１】
図２は上記貯湯タンク装置のケーシング３を外した状態を示しており、第１,第２貯湯タンク１,２(図１に示す)の下側において脚５,５,…に底板１０を固定し、底板１０の前面側に継手取付板１１を配置している。上記継手取付板１１の上側に電装品箱２０を配置している。
【００２２】
また、図３は上記貯湯タンク装置のケーシング３と機能部品および配管などを外した状態を左上方から見た図を示し、図４は上記貯湯タンク装置のケーシング３と機能部品および配管などを外した状態を右上方から見た図を示している。図３,図４において、図２と同一の構成部には同一参照番号を付している。
【００２３】
図３,図４に示すように、底板１０上に互いに略平行に立設された第１,第２貯湯タンク１,２の全体を、第１成形断熱材２１と、第２成形断熱材２２と、第３成形断熱材２３と、第４成形断熱材２４と、第５成形断熱材２５と、天部成形断熱材２６と、カバー成形断熱材２７と、底部成形断熱材２８で構成された断熱構造体で覆っている。上記第１〜第５成形断熱材２１〜２５,天部成形断熱材２６,カバー成形断熱材２７および底部成形断熱材２８は、発泡スチロール等の発泡成形断熱材である。
【００２４】
上記第３成形断熱材２３は、第１成形断熱材２１と第２成形断熱材２２の前面側に取り付けられている。また、第３成形断熱材２３に設けられた金具固定部３１,３２に、電装品箱２０(図２に示す)を固定するための取付金具４１,４２を取り付けている。この取付金具４１,４２は、第３成形断熱材２３の金具固定部３１,３２の裏側から表側に一部が貫通するように嵌め込まれている。
【００２５】
また、第３成形断熱材２３には、機能部品(バルブ、熱交換器など)の位置決めするための複数の凸部３３〜３５(図４の参照番号を付していない他の凸部も含む)を設けている。また、第３成形断熱材２３の左側には、配管を固定するための溝部３６を上下方向に沿って設けている。
【００２６】
このように、第３成形断熱材２３には、金具固定部３１,３２と凸部３３〜３５と溝部３６で、電装品箱２０(図２に示す)や機能部品および配管などを取り付けるための部品取付部を構成している。
【００２７】
図５は図３,図４に示す貯湯タンク装置から断熱構造体を外した状態を示しており、図５に示すように、脚５は、下側の脚基部５aとその脚基部５aの上側に連結されたタンク支持部５bとを有している。その脚５,５,…の各タンク支持部５b,５b,…により第１,第２貯湯タンク１,２の下側を支持している。
【００２８】
また、図５において、１３,１３は継手取付板１１の取り付けを補強する三角補強板である。
【００２９】
次に、図６は上記貯湯タンク装置の第１,第２貯湯タンク１,２を覆う断熱構造体の分解斜視図を示している。図６に示すように、水平断面が半円弧形状の第１,第２成形断熱材２１,２２によって第１貯湯タンク１(図５に示す)の側方を挟むように覆っている。また、水平断面が半円弧形状の第４,第５成形断熱材２４,２５によって第２貯湯タンク２(図５に示す)の側方を挟むように覆っている。この第１,第２成形断熱材２１,２２および第４,第５成形断熱材２４,２５の夫々は、円筒を軸方向に沿った平面で分割した半円筒形状をしている。
【００３０】
また、天部成形断熱材２６は、第１,第２貯湯タンク１,２の上部を夫々覆う２つの凹部２６a,２６bが設けられている。その天部成形断熱材２６の上部に、カバー成形断熱材２７を取り付けている。また、底部成形断熱材２８は、第１,第２貯湯タンク１,２の底部が夫々嵌め込まれる２つの凹部２８a,２８bが設けられている。底部成形断熱材２８は、第１,第２貯湯タンク１,２と底板１０との間に配置されて、第１,第２貯湯タンク１,２の下側を拘束している。
【００３１】
また、第１貯湯タンク１の側方を覆う第１,第２成形断熱材２１,２２の前面側に第３成形断熱材２３を取り付けている。
【００３２】
この第３成形断熱材２３は、図７に示すように、第１貯湯タンク１の側方を覆う第１,第２成形断熱材２１,２２の前面側の接合部分に跨るように、第１,第２成形断熱材２１,２２を挟んで固定している。詳しくは、第１成形断熱材２１の前面側に上下方向に間隔をあけて嵌合凹部２１a,２１bを設け、第２成形断熱材２２の前面側に上下方向に間隔をあけて嵌合凹部２２a,２２bを設けている。また、第３成形断熱材２３の嵌合凹部２１a,２１b,２２a,２２bに対向する位置に、嵌合凸部２３a,２３b,２３c,２３dを設けている。この第３成形断熱材２３の嵌合凸部２３a,２３bを第１成形断熱材２１の嵌合凹部２１a,２１bに嵌合させると共に、第３成形断熱材２３の嵌合凸部２３c,２３dを第２成形断熱材２２の嵌合凹部２２a,２２bに嵌合させることにより、第３成形断熱材２３は、第１,第２成形断熱材２１,２２に周方向かつ上下方向に係合している。
【００３３】
上記第３成形断熱材２３は、電装品箱２０(図２に示す),機能部品および配管などが取り付けられている。ここで、機能部品とは、バルブ、熱交換器などであり、配管とは、給水配管、給湯配管などである。
【００３４】
上記構成のタンク断熱構造および貯湯タンク装置によれば、第１,第２成形断熱材２１,２２の接合部分に跨るように、第１,第２成形断熱材２１,２２を第３成形断熱材２３が挟んで固定し、第３成形断熱材２３が第１,第２成形断熱材２１,２２に周方向かつ上下方向に係合することによって、第１貯湯タンク１を包む第１,第２成形断熱材２１,２２の側面の接合部分を補強できると共に、第１,第２成形断熱材２１,２２の接合部分が密着すると共に第３成形断熱材２３により覆われるので、断熱性能を向上できる。また、固定金具などを用いることなく、第３成形断熱材２３を第１,第２成形断熱材２１,２２から外れないように固定できるので、組立時の作業性を向上できる。
【００３５】
また、上記第３成形断熱材２３に部品取付部(３１〜３６)を設けることによって、断熱と部品取付に第３成形断熱材２３を兼用できる。第１,第２成形断熱材２１,２２は、全体に厚みが略均一になるように成形されるので、第１,第２成形断熱材に部品取付部を設ける場合には、その部分の厚みを厚くする必要があり、成形時間が長くなったり成形性が悪くなったりする。このような成形時の課題を、第１,第２成形断熱材とは別体の第３成形断熱材に部品取付部を設けることで解決することができる。
【００３６】
また、上記第１,第２成形断熱材２１,２２の厚さよりも第３成形断熱材２３の厚さが厚いことによって、第３成形断熱材２３に設けられた部品取付部(３１〜３６)の強度を高めることができる。
【００３７】
また、上記第１,第２成形断熱材２１,２２の厚さよりも第３成形断熱材２３の厚さが厚いので、第３成形断熱材２３に設けられた金具固定部３１,３２により、重量物である電装品箱を取付金具４１,４２を介して第３成形断熱材２３に固定することが可能になる。
【００３８】
上記実施の形態では、第１,第２貯湯タンク１,２を断熱するタンク断熱構造を用いた貯湯タンク装置について説明したが、タンク断熱構造はこれに限らず、少なくとも１つのタンクを備えた他の装置にこの発明を適用してもよい。
【００３９】
また、上記実施の形態では、金具固定部３１,３２と凸部３３〜３５と溝部３６などの部品取付部を有する第３成形断熱材２３を備えたタンク断熱構造について説明したが、部品取付部のない第３成形断熱材を備えたタンク断熱構造にこの発明を適用してもよい。
【００４０】
また、上記実施の形態では、互いに略平行に立設された第１,第２貯湯タンク１,２を備えた貯湯タンク装置について説明したが、長手方向が上下方向以外の方向になるように配置されたタンクにこの発明のタンク断熱構造を適用してもよい。例えば、貯湯タンクのようにタンク内に温度勾配を形成するということが必要でない用途のタンクであれば、長手方向が水平方向になるように、または、長手方向が斜め方向になるように配置してもよい。
【００４１】
この発明の具体的な実施の形態について説明したが、この発明は上記実施の形態に限定されるものではなく、この発明の範囲内で種々変更して実施することができる。
【符号の説明】
【００４２】
１…第１貯湯タンク
２…第２貯湯タンク
３…ケーシング
４…カバー
５…脚
５a…脚基部
５b…タンク支持部
１０…底板
１１…継手取付板
１３…三角補強板
２０…電装品箱
２１…第１成形断熱材
２２…第２成形断熱材
２３…第３成形断熱材
２４…第４成形断熱材
２５…第５成形断熱材
２６…天部成形断熱材
２７…カバー成形断熱材
２８…底部成形断熱材
３１,３２…金具固定部
４１,４２…取付金具
【図１】
2014066369.tif 000003
【図２】
2014066369.tif 000004
【図３】
2014066369.tif 000005
【図４】
2014066369.tif 000006
【図５】
2014066369.tif 000007
【図６】
2014066369.tif 000008
【図７】
2014066369.tif 000009